(57)【要約】      （修正有）【課題】完全な断線の無い面状を作り上げることにより面全体で遠赤外線発熱保温、抗菌防臭を実現するとともに電極帯を配置し、持ち運び可能な小さな電圧を加えることにより発熱するモバイルヒーターを提供する。【解決手段】所謂、湿式方式で、半導体繊維２であるカーボン繊維のスレイバーを細かく細断して他の繊維に混ぜ入れ、カーボン繊維が蜘蛛の巣状で断線することがないように面状に配置し、静電容量を大きくし、面状で遠赤外線の優れた効果を実現させた面状発熱体１に電極帯を対面に配置し、１．５Ｖから２０Ｖまでの小さな電圧を加えて通電させ、その抵抗値から発熱させる。【選択図】図１
0003184370.tif 000002
【実用新案登録請求の範囲】
【請求項１】
静電容量を有した通電性のあるカーボン繊維や硫化銅をイオン結合させたアクリル繊維、ナイロン繊維などの半導体繊維をパルプ繊維、（公序良俗違反につき、不掲載）、ナイロン、レーヨンなどの他の繊維と混ぜて半導体繊維の脱落の無い結合をさせ、その半導体繊維が蜘蛛の巣状で、断線の無い面状に配した不織布の発熱体に電極帯を対面に配置し、小さな電圧の電源から通電することによって熱を発生させるモバイルヒーター。
【請求項２】
半導体繊維で３ｍｍから６０ｍｍまでに細断されたものを不規則に重ねて配置し、電気の断線をおこさないようにした不織布の発熱体に通電性を持たせたモバイルヒーター。
【請求項３】
電気の流れを面状にすることが可能であるので当然ながら遠赤外線効果、赤外線、高周波、マイクロ波、電磁波などの電気性能を持つものを吸収し、面上で熱を発生させる不織布の発熱体に、小さな電圧の電源など外部から電圧を加えて通電させ発熱させるモバイルヒーター。
【考案の詳細な説明】
【技術分野】
【０００１】本考案は、完全な断線の無い面状発熱体に関するものであり、１．５Ｖから２０Ｖまでの持ち運び可能な小さな電圧、および車のシガーソケット等を電源として、５度から７０度ほどの温度上昇を可能にしたモバイルヒーターに関するものである。
【背景技術】
【０００２】従来技術として、ニクロム線を代表とする線を基本とした発熱体が多く普及している。【０００３】しかしながら、従来の線状のタイプでは均一に加熱することが難しく線自体が高温になり、事故の原因となっていた。【０００４】また、１箇所でも断線してしまうと通電が止まり、発熱することが出来なくなるという問題があった。
【考案の概要】
【考案が解決しようとする課題】
【０００５】本考案は従来の面状発熱体に上記のような問題があったことに鑑みて為されたものであり、その目的とするところは、完全な断線の無い面状を作り上げることにより面全体で遠赤外線発熱保温、抗菌防臭を実現するとともに電極帯を配置し、持ち運び可能な小さな電圧を加えることにより発熱するモバイルヒーターを提供することにある。
【課題を解決するための手段】
【０００６】本考案は上記の課題を解決するものとして、所謂、湿式方式で、半導体繊維であるカーボン繊維のスレイバーを細かく細断して他の繊維に混ぜ入れ、カーボン繊維が蜘蛛の巣状で断線することがないように面状に配置し、静電容量を大きくし、面状で遠赤外線の優れた効果を実現させた不織布の面状発熱体を提供する。【０００７】この不織布の面状発熱体に電極帯を対面に配置し、１．５Ｖから２０Ｖまでの持ち運び可能な小さな電圧を加えて通電させ、その抵抗値から発熱させる。
【考案の効果】
【０００８】静電容量は面積に比例することから面状で遠赤外線効果、抗菌消臭効果、除電効果を表現しているので線状のものと比較して大きな効果がある。【０００９】また、面全体で通電するので、発熱面が持ち運びできる小ささであっても効果的な発熱保温が実現できる。【００１０】本実施形態において作製する、カーボン繊維１５％およびカーボン繊維１０％の不織布における遠赤外線効果の試験を以下の方法で行った。【００１１】ａ）試験方法
４５°に傾斜した試料台に試験試料と対照試料を並べて取り付け、その１５ｃｍ前に９０℃の熱板を平行にセットする。サーモビュアにより両試料の表面温度を測定し、温度差を求める。【００１２】こうして行った評価試験結果を表１と表２に示す【００１３】
【表１】
0003184370.tif 000003
【表２】
0003184370.tif 000004
【００１４】従って、カーボン繊維１５％およびカーボン繊維１０％共に、従来の芯地より約１．５℃温度上昇し、信頼限界９９％と認められたことから遠赤外線効果があることが分かった。【００１５】次に電極の距離に対する発熱温度の比較を以下の表３に示す【００１６】
【表３】
0003184370.tif 000005
【００１７】上記表３より、電極の距離が近いほどより高い温度の発熱を促すことが分かり、持ち運びが可能な小さい発熱体でも効果的な発熱保温が可能と分かった。【００１８】以上、本実施形態において作製した不織布の評価試験結果のとおり、本考案にあっては面上にカーボン繊維を不規則な蜘蛛の巣状に配し、完全な断線のない面状を作り上げることにより、面全体で遠赤外線効果が得られ、かつ持ち運び可能な小さな発熱体でも十分な発熱保温効果が得られる。
【図面の簡単な説明】
【００１９】
【図１】本考案の実施形態のモバイルヒーターを表す平面図である。
【図２】本考案の実施形態のモバイルヒーターの構造を表す断面図である。
【考案を実施するための形態】
【００２０】以下、本考案の実施の形態を図に基づいて説明する。
【００２１】図１の符号１は本考案で作製された不織布面状発熱体である。符号２のカーボンなどの半導体繊維を５％から５０％の範囲で、符号３のポリエスター、ナイロン、レーヨンなどの合成繊維と符号４の融着性繊維で結合させカーボン繊維を蜘蛛の巣状に重ねて配置して、全体的に断線を起こさない不織布面状発熱体を製造する。
【００２２】上記のように作製された不織布面状発熱体の両面に図２の符号７のコーティング剤を施す。
【００２３】その不織布面状発熱体に通電性を持たせるため両端に図２の符号８のように導電性銀ペーストを塗り、その上に符号５の銅箔テープを貼る。
【００２４】更に面状発熱体に水濡れ等の漏電を防ぐために符号６のラミネートフィルムで被覆する。
【符号の説明】
【００２５】１  不織布面状発熱体２  カーボン繊維や硫化銅をイオン結合させたアクリル繊維、ナイロン繊維などの半導体繊維３  （公序良俗違反につき、不掲載）、ナイロン、レーヨンなどの繊維などの合成繊維４  融着性繊維５  銅箔テープ６  ラミネートフィルム７  コーティング剤８  導電性銀ペースト
【図１】
0003184370.tif 000006
【図２】
0003184370.tif 000007
【手続補正書】
【提出日】平成25年4月3日(2013.4.3)
【手続補正２】
【補正対象書類名】明細書
【補正対象項目名】００２５
【補正方法】変更
【補正の内容】
【００２５】１不織布面状発熱体
２カーボン繊維や硫化銅をイオン結合させたアクリル繊維、ナイロン繊維などの半導体繊維
３ポリエステル、ナイロン、レーヨンなどの繊維などの合成繊維
４融着性繊維
５銅箔テープ
６ラミネートフィルム
７コーティング剤
８導電性銀ペースト
【手続補正３】
【補正対象書類名】実用新案登録請求の範囲
【補正対象項目名】全文
【補正方法】変更
【補正の内容】
【実用新案登録請求の範囲】
【請求項１】
静電容量を有した通電性のあるカーボン繊維や硫化銅をイオン結合させたアクリル繊維、ナイロン繊維などの半導体繊維をパルプ繊維、ポリエステル、ナイロン、レーヨンなどの他の繊維と混ぜて半導体繊維の脱落の無い結合をさせ、その半導体繊維が蜘蛛の巣状で、断線の無い面状に配した不織布の発熱体に電極帯を対面に配置し、小さな電圧の電源から通電することによって熱を発生させるモバイルヒーター。
【請求項２】
半導体繊維で３ｍｍから６０ｍｍまでに細断されたものを不規則に重ねて配置し、電気の断線をおこさないようにした不織布面状発熱体に通電性を持たせ、小さな電圧の電源から通電することによって熱を発生させることを特徴とする請求項１記載のモバイルヒーター。
【請求項３】
不織布面状発熱体１の中のカーボン繊維や硫化銅をイオン結合させたアクリル繊維、ナイロン繊維などの半導体繊維２を不規則に重ねて配置することによって電気の流れを面状にすることが可能であるので当然ながら遠赤外線効果、赤外線、高周波、マイクロ波、電磁波などの電気性能を持つものを吸収し、面上で熱を発生させる不織布面状発熱体に、小さな電圧の電源など外部から電圧を加えて通電させ発熱させることを特徴とする請求１または２記載のモバイルヒーター。